(57)【要約】【課題】画像形成装置の複雑化を招くことなく、現像剤中のキャリアの劣化度をより正確に判定する。【解決手段】画像形成装置１は、静電潜像を担持する感光体ドラム４と、トナーとキャリアを混合してなる現像剤を収容し、現像剤のトナーを感光体ドラム４の静電潜像に付与して、静電潜像を現像する現像装置２２と、現像装置２２にトナーを補給するトナー補給部４７と、現像装置２２内の現像剤のトナー濃度を検出するトナー濃度センサー３５と、トナー補給部４７の出力がリップルを示した後、トナー濃度センサー３５の出力が予め定められた一定範囲内の値に収束するまでに要した時間である緩和時間に基づいて、キャリアの劣化度を判定する制御部５１と、を備える。【選択図】図３
2018081206.tif 000002
【特許請求の範囲】
【請求項１】
静電潜像を担持する像担持体と、
トナーとキャリアを混合してなる現像剤を収容し、前記現像剤のトナーを前記像担持体上の静電潜像に付与して、該静電潜像を現像する現像装置と、
前記現像装置にトナーを補給するトナー補給部と、
前記現像装置内の現像剤のトナー濃度を検出するトナー検出部と、
前記トナー補給部によりトナーが前記現像装置に補給された時点からの前記トナー検出部の出力がリップルを示した後、前記トナー検出部の出力が予め定められた一定範囲内の値に収束するまでに要した時間である緩和時間に基づいて、前記キャリアの劣化度を判定する制御部と、を備える画像形成装置。
【請求項２】
前記トナー補給部によりトナーが前記現像装置に補給されてからの経過時間をｔとし、前記トナー検出部の出力をｙとし、定数をＡとし、前記トナー検出部の出力が示す振幅が、ピーク値を示したときにおける振幅から、当該ピーク値を示したときにおける振幅の１／ｅに減衰するまでの時間としての緩和時間をＴｓとすると、
前記制御部は、前記トナー検出部の出力がピーク値及び次のピーク値となった少なくとも２つの経過時間ｔ、該各経過時間ｔにおける前記トナー検出部のそれぞれの出力ｙを用いて、次式（１）から前記緩和時間Ｔｓを導出し、この緩和時間Ｔｓを前記キャリアの劣化度の指標として、前記キャリアの劣化度を判定する請求項１に記載の画像形成装置。
ｌｎ（ｙ）＝ｌｎ（Ａ）−ｔ／Ｔｓ      …（１）
【請求項３】
前記制御部は、前記判定したキャリアの劣化度から、前記キャリアの寿命を判定する請求項１又は請求項２に記載の画像形成装置。
【請求項４】
前記制御部は、前記判定したキャリアの劣化度に応じて、前記像担持体の表面電位を補正する請求項１乃至請求項３のいずれかに記載の画像形成装置。
【請求項５】
前記現像装置は、前記現像剤を担持して、この現像剤を前記像担持体上の静電潜像に付与する現像剤担持体を有し、
前記制御部は、前記判定したキャリアの劣化度に基づいて、前記現像剤担持体に印加される現像バイアスを補正する請求項１乃至請求項４のいずれかに記載の画像形成装置。
【請求項６】
前記制御部は、前記判定したキャリアの劣化度に基づいて、前記トナー検出部の出力を補正する請求項１乃至請求項５のいずれかに記載の画像形成装置。
【請求項７】
前記キャリアが劣化する以前の前記緩和時間をＴｓ０とし、前記キャリアが劣化する以前において実際の印字率と比較されて、画像品質を保つために生産性を低下させるか否かの判定に用いられる初期追従印字率をＰ０とし、前記キャリアが劣化した時点での前記緩和時間をＴｓｘとし、前記キャリアが劣化した時点において実際の印字率と比較されて、画像品質を保つために生産性を低下させるか否かの判定に用いられる補正追従印字率をＰｘとすると、
前記制御部は、次式（２）に基づき、前記補正追従印字率Ｐｘを求める請求項１乃至請求項６のいずれかに記載の画像形成装置。
Ｐｘ＝（Ｔｓ０／Ｔｓｘ）×Ｐ０      …（２）
【発明の詳細な説明】
【技術分野】
【０００１】
本発明は、トナーとキャリアを混合してなる現像剤を用いて、静電潜像を現像する画像形成装置に関し、特に、キャリアの劣化度を判定する技術に関する。
【背景技術】
【０００２】
画像形成装置では、画像形成のために、トナー及びキャリアからなる現像剤を混合しつつ、現像剤中のトナーを像担持体上の静電潜像に付与して、像担持体に静電潜像を現像する。また、現像剤中のトナーが消費されて減少すると、トナーを補給する。一方、現像剤中のキャリアについては、継続して使用するため、キャリアの粒子の表面が摩耗したり小径化したりして、キャリアの劣化が進行する。このため、キャリアの劣化度に応じて、現像剤そのものの交換などが必要となる。
【０００３】
例えば、特許文献１には、像担持体上に静電潜像を形成し、現像装置から供給される現像剤のトナーによって静電潜像を現像して画像を形成する画像形成装置であって、静電潜像を現像してなる画像の面積率を検知して平均面積率を求めると共に、現像剤の駆動距離を検知し、これら平均面積率及び現像剤の駆動距離から現像剤のライフを決定するものが記載されている。
【０００４】
また、特許文献２には、現像スリーブ上に存在する現像後のキャリアの静電容量値を求め、この求めた静電容量値を未使用時のキャリアの静電容量値と比較することで現像剤の劣化状態を求める画像形成装置が示されている。
【先行技術文献】
【特許文献】
【０００５】
【特許文献１】特開２００５−３３１７１９号公報
【特許文献２】特開２００９−１５０４６号公報
【発明の概要】
【発明が解決しようとする課題】
【０００６】
ここで、現像剤のキャリアの劣化度は、温度や湿度などの使用環境によっても大きく変化する。しかしながら、特許文献１では、キャリアに対する使用環境の影響が考慮されていないため、使用環境に応じた正確なキャリアの劣化度を知ることができない。
【０００７】
また、特許文献２では、現像スリーブ上のキャリアの静電容量値を計測するために特別な装置を設ける必要があり、画像形成装置の構成の複雑化やコストの上昇を伴う。
【０００８】
本発明は、上記の事情に鑑みなされたものであり、画像形成装置の構成の複雑化を招くことなく、現像剤中のキャリアの劣化度をより正確に判定することを目的とする。
【課題を解決するための手段】
【０００９】
本発明の一局面に係る画像形成装置は、静電潜像を担持する像担持体と、トナーとキャリアを混合してなる現像剤を収容し、前記現像剤のトナーを前記像担持体上の静電潜像に付与して、該静電潜像を現像する現像装置と、前記現像装置にトナーを補給するトナー補給部と、前記現像装置内の現像剤のトナー濃度を検出するトナー検出部と、前記トナー補給部によりトナーが前記現像装置に補給された時点からの前記トナー検出部の出力がリップルを示した後、前記トナー検出部の出力が予め定められた一定範囲内の値に収束するまでに要した時間である緩和時間に基づいて、前記キャリアの劣化度を判定する制御部と、を備えるものである。
【発明の効果】
【００１０】
本発明によれば、画像形成装置の複雑化を招くことなく、現像剤中のキャリアの劣化度をより正確に判定することができる。
【図面の簡単な説明】
【００１１】
【図１】本発明の画像形成装置の一実施形態を示す断面図である。
【図２】本実施形態の画像形成装置における感光体ドラム及び現像装置等を示す断面図である。
【図３】本実施形態の画像形成装置の構成を示すブロック図である。
【図４】トナーが補給された時点からのトナー濃度センサーの出力値の変化を示すグラフである。
【図５】印刷された記録紙の枚数に対する緩和時間の特性を示すグラフである。
【図６】（Ａ）は追従印字率を最低値の３０％に固定した状態でかぶりが発生しないような印字率と生産性の関係を示すグラフであり、（Ｂ）は補正追従印字率を３０％又は３５％に調節した上でかぶりが発生しないような印字率と生産性の関係を示すグラフである。
【発明を実施するための形態】
【００１２】
以下、本発明の一実施形態について図面を参照して説明する。
【００１３】
図１は、本発明の画像形成装置の一実施形態を示す断面図である。本実施形態の画像形成装置１は、例えば、コピー機能、プリンター機能、スキャナー機能、及びファクシミリ機能のような複数の機能を兼ね備えたＭＦＰ（複合機）である。この画像形成装置１は、画像読取部１１と、画像形成部１２とを備えている。
【００１４】
画像読取部１１は、原稿を光学的に読み取るスキャナーを有し、この原稿の画像を示す画像データを生成する。
【００１５】
画像形成部１２は、画像読取部１１で生成された画像データによって示される画像を記録紙Ｐに印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、１次転写ローラー６により中間転写ベルト５に転写する。これにより、カラーのトナー像（画像）が中間転写ベルト５上に形成される。このカラーのトナー像は、中間転写ベルト５と２次転写ローラー９の間のニップ域Ｎにおいて給紙部７から搬送路８を通じて搬送されてきた記録紙Ｐに２次転写される。
【００１６】
この後、定着装置１５で記録紙Ｐが加熱及び加圧されて、記録紙Ｐ上のトナー像が熱圧着により定着され、更に記録紙Ｐが排出ローラー対１６を通じて排出トレイ１７に排出される。
【００１７】
また、各画像形成ユニット３Ｍ、３Ｃ、３Ｙ、及び３Ｂｋの上方には、トナーコンテナ１８が４つ設けられている。各トナーコンテナ１８は、マゼンタのトナー、シアンのトナー、イエローのトナー、ブラックのトナーをそれぞれ収納しており、これらのトナーをそれぞれの経路（図示せず）を通じて各画像形成ユニット３Ｍ、３Ｃ、３Ｙ、及び３Ｂｋの現像装置２２（図２に示す）へと供給する。
【００１８】
図２は、各画像形成ユニット３Ｍ、３Ｃ、３Ｙ、及び３Ｂｋにおける１組の感光体ユニット２１及び現像装置２２を示す断面図である。図２に示すように各画像形成ユニット３Ｍ、３Ｃ、３Ｙ、及び３Ｂｋ毎に、感光体ユニット２１、現像装置２２、及び１次転写ローラー６が設けられている。感光体ユニット２１には、感光体ドラム４、感光体ドラム４の表面を除電する除電部２４、感光体ドラム４の表面に残留したトナーをクリーニングするクリーニング部２５、感光体ドラム４の表面を均一に帯電させる帯電部２６等が設けられている。また、現像装置２２には、現像ローラー２７、交流電圧と直流電圧を重畳した現像バイアスを現像ローラー２７に印加する現像バイアス印加部２９、現像剤を収容した現像剤収容部３１、現像剤を循環搬送させる２本のスクリュー３２、及び現像ローラー２７に現像剤を供給する供給ローラー３３等が設けられている。
【００１９】
現像剤収容部３１に収容されている現像剤は、トナーとキャリアを混合してなる二成分の現像剤である。この現像剤収容部３１には、感光体ドラム４の回転軸方向（図２の紙面奥行き方向）に延びる、２本の搬送経路３６が並行して形成されている。これらの搬送経路３６の両端部は繋がっており、現像剤の循環搬送経路が形成されている。２本のスクリュー３２は、現像剤をその循環搬送経路を通じて撹拌しつつ循環搬送し、現像剤のトナーとキャリアを混合すると共に、トナーとキャリアの撹拌によりトナーを帯電させる。
【００２０】
現像ローラー２７は、感光体ドラム４に接近又は接触している。この現像ローラー２７の表面には、供給ローラー３３を経由して、該現像ローラー２７に現像剤が付与される。この現像ローラー２７の表面に担持されたトナーは、現像バイアス印加部２９により交流電圧及び直流電圧が重畳された現像バイアスが印加された現像ローラー２７と、電位Ｖ０に帯電された感光体ドラム（特許請求の範囲における像担持体の一例）４の間の静電気力により現像ローラー２７の表面から感光体ドラム４の表面へと移動して付着する。これにより、感光体ドラム４の表面上の静電潜像がトナーで現像される。更に、１次転写ローラー６には、転写バイアス電圧が印加されており、この転写バイアス電圧の印加により、感光体ドラム４の表面に担持されているトナー像を１次転写ローラー６側に引き寄せ、当該トナー像を中間転写ベルト５に転写させる。
【００２１】
一方、現像装置２２の現像剤収容部３１には、現像剤収容部３１内のトナー濃度を検出するトナー濃度センサー３５（特許請求の範囲におけるトナー検出部の一例）が設けられている。このトナー濃度センサー３５は、透磁率センサーであって、現像剤収容部３１内の現像剤の透磁率を検出している。この検出された透磁率に基づき、トナー濃度（キャリアに対するトナーの比率。いわゆるＴ／Ｃ）が求められる。例えば、トナー濃度センサー３５による検出範囲にある現像剤におけるキャリアの量が少ないと、高いトナー濃度が検出され、トナー濃度センサー３５に対峙している現像剤におけるキャリアの量が多いと、低いトナー濃度が検出される。
【００２２】
現像剤収容部３１内の現像剤のトナーが消費されて、トナー濃度が低下したときには、トナー濃度センサー３５の出力値に基づき、トナーコンテナ１８から現像剤収容部３１の循環搬送経路へとトナーが補給され、２本のスクリュー３２により現像剤のトナーとキャリアが均一に混合されて、トナー濃度が元に戻される。
【００２３】
図３は、画像形成装置１の主要内部構成を示す機能ブロック図である。図３に示すように画像形成装置１は、制御ユニット４１、表示部４２、操作部４４、記憶部４５、制御部５１、トナー補給部４７、画像読取部１１、画像形成部１２、及びトナー濃度センサー３５などを備えている。これらの構成要素は、互いにバスを通じてデータ又は信号の送受信が可能とされている。
【００２４】
表示部４２は、液晶ディスプレイ（ＬＣＤ：Liquid Crystal Display）や有機ＥＬ（ＯＬＥＤ：Organic Light-Emitting Diode）ディスプレイなどから構成される。
【００２５】
操作部４４は、テンキー、決定キー、スタートキーなどのハードキーを備えている。
【００２６】
記憶部４５は、ＲＡＭ、大容量のＨＤＤ（Hard Disk Drive）などからなる。
【００２７】
制御部５１は、交流電圧の振幅ＶＰ、周波数Ｆ、及びデューティー比Ｄｕを調節し、直流電圧の値を調節して、上記現像バイアスを制御する。
【００２８】
トナー補給部４７は、トナーコンテナ１８から現像装置２２の現像剤収容部３１の循環搬送経路へとトナーを補給するトナー補給機構である。トナー補給部４７は、制御部５１による制御で駆動される。なお、現像バイアス印加部２９は、現像装置２２の一部である。
【００２９】
制御ユニット４１は、ＣＰＵ（Central Processing Unit）、ＲＡＭ(Random Access Memory）、及びＲＯＭ（Read Only Memory）などから構成される。この制御ユニット４１は、上記のＲＯＭまたは記憶部４５に記憶された制御プログラムが上記のＣＰＵで実行されることにより、制御部５１、及び表示制御部５３として機能する。なお、制御ユニット４１の上記の各構成は、プログラムに基づく動作によらず、それぞれハード回路により構成されてもよい。
【００３０】
制御部５１は、画像形成装置１の全体的な動作制御を司る。
【００３１】
表示制御部５３は、表示部４２を制御して、画像形成処理に必要な設定項目の入力画面、あるいは情報の入力画面などを表示させる。
【００３２】
ここで、画像形成装置１の現像装置２２では、現像剤中のキャリアが継続して使用されるので、キャリアの粒子の表面が摩耗したり小径化したりして、キャリアが劣化する。このため、キャリアの寿命や劣化度を判定する必要がある。
【００３３】
そこで、本実施形態では、制御部５１がトナー補給部４７によりトナーコンテナ１８から現像装置２２の現像剤収容部３１にトナーを補給したときに、この補給時点からのトナー濃度センサー３５の出力値にリップルが生じて、この出力値のピーク値からの減衰特性に基づきキャリアの劣化度を判定する。本実施形態では、当該減衰特性がキャリアの劣化度に応じて変化することに注目している。これにより、本実施形態では、温度や湿度などの使用環境によってキャリアの劣化度が変化していても、この使用環境下で使用される実態に則してキャリアの劣化度を正確に判定可能としている。また、本実施形態では、既存のトナー濃度センサー３５を用いるので、特別な装置を追加する必要がなく、画像形成装置１の構成の複雑化やコストの上昇を招くことがない。
【００３４】
上記キャリアの劣化度を判定するための処理を詳細に説明する。トナーコンテナ１８から現像剤収容部３１へとトナーが補給されると、このトナーの補給箇所で現像剤のトナー濃度が著しく高くなって、２本のスクリュー３２により、トナー濃度が著しく高くなった現像剤が循環搬送される。この現像剤がトナー濃度センサー３５の配設箇所を通過すると、最初は、該現像剤の部分のトナー濃度が比較的高く、該現像剤が循環搬送経路を循環搬送されてトナー濃度センサー３５の配設箇所に繰り返し到達する度に、該現像剤の部分のトナー濃度が低下して、予め定めた規定の濃度に収束する。
【００３５】
トナー濃度センサー３５の出力値は、その現像剤の部分の最初の通過のときに最大のピーク値に達し、２回目の通過のときに更に低いピーク値に達し、以降更に低減して、予め定められた一定範囲内の値に収束する。すなわち、トナー補給部４７によりトナーが現像装置２２に補給された時点からのトナー濃度センサー３５の出力がリップルを示した後、トナー濃度センサー３５の出力が予め定められた一定範囲内の値に収束する。制御部５１は、このようなトナー濃度センサー３５の出力値が示す減衰特性に基づき、キャリアの劣化度を判定する。
【００３６】
次に、トナー濃度センサー３５の出力値の減衰特性に基づくキャリアの劣化度の判定の一例を説明する。
【００３７】
まず、図２に示すような画像形成ユニットの仕様並びに条件を、例えば以下のように設定する。
［プリント速度］                      ２６枚／分
［感光体ドラム周速］                  １６４．９２ｍｍ／ｓｅｃ
［感光体ドラム径］                  ２４ｍｍ
［感光体ドラムと現像ローラーの間隙］  ０．３０ｍｍ
［感光体］                            ＯＰＣ
［感光体ドラム表面電位］              Ｖ０＝４５０Ｖ
［現像ローラー径］                    １６ｍｍ
［現像ローラー表面形状］              ローレット  ８０μｍ１２０本
［現像ローラー速度］                  ２６３．８９ｍｍ／ｓｅｃ
感光体ドラムに対する周速比１．６（トレール回転）
［現像ローラーバイアス電圧］          直流バイアス電圧Ｖｄ＝３５０Ｖ
交流バイアス電圧Ｖａの振幅電圧ＶＰ＝１２００Ｖ、周波数＝４ＫＨｚ、
デューティー比５０％
［トナー］                            ６．８μｍ、正帯電性
「トナー濃度センサー］                透磁率センサー
このような仕様並びに条件のもと、トナー濃度センサー３５の出力値は、現像剤収容部３１にトナーが補給された時点から、図４のグラフに示すように変化する。図４のグラフにおいて、横軸はトナーの補給時点から経過した時間ｔを示し、縦軸はトナー濃度センサー３５の出力値ｙを示している。また、図４のグラフが示す特性Ｕ１は、時間経過に伴うトナー濃度センサー３５の出力値ｙの変化である。
【００３８】
この特性Ｕ１から明らかなように、トナーの補給時点（図４における0sec時点）よりトナー濃度センサー３５の出力値がリップルを示し、この出力値が、１回目のピーク値ＰＶ１（最大）に達した後に低減し、２回目の低いピーク値ＰＶ２に達した後、振幅が減衰してやがて収束する。
【００３９】
ここで、トナー濃度センサー３５の出力値をｙとし、定数をＡとし、トナー濃度センサー３５の出力値ｙの示す振幅が、ピーク値ＰＶ１のときにおける振幅から、当該ピーク値ＰＶ１のときにおける振幅の１／ｅ（上記予め定められた一定範囲内の値の一例）に減衰するまでの時間を緩和時間Ｔｓとし、トナーの補給時点から経過した時間をｔとし、トナーとキャリアが規定の比率で均一に混合されたときのトナー濃度センサー３５の出力値ｙを定数Ｃとすると、図４のグラフにおけるトナー濃度センサー３５の出力値ｙの変化を示す特性Ｕ１は、次式（ａ）で表される。
【００４０】
ｙ＝Ａ×ｅｔ／Ｔｓ×ｓｉｎθ＋Ｃ      …（ａ）
そして、出力値ｙがピーク値となる時点ではｓｉｎθ＝１であるため、出力値ｙの各ピーク値を結ぶ曲線の特性Ｕ２は、次式（ｂ）で表される。
【００４１】
ｙ＝Ａ×ｅｔ／Ｔｓ＋Ｃ      …（ｂ）
更に、上記式（ｂ）において、緩和時間Ｔｓに影響がない定数Ｃを除去し、両辺の対数をとると、次式（１）が導出される。
【００４２】
ｌｎ（ｙ）＝ｌｎ（Ａ）−ｔ／Ｔｓ      …（１）
なお、ｌｎは自然対数関数である。
【００４３】
こうして導出された上記式（１）には変数が「ｔ」のみであるため、２つ以上の出力値ｙのピーク値と、それぞれのピーク値の到来時である時間ｔを求めれば、緩和時間Ｔｓを算出できる。また、２つ以上の出力値ｙのピーク値を求めるには、トナーの補給時からトナー濃度センサー３５の出力値ｙにうねりが生じている期間内が最適である。
【００４４】
制御部５１は、トナー補給部４７を制御して、トナーをトナーコンテナ１８から現像剤収容部３１へと補給させたときに、この補給時からトナー濃度センサー３５の出力値ｙを繰り返しサンプリングして、２つの出力値ｙのピーク値を判定する。そして、制御部５１は、これらのピーク値の時間ｔを求め、これらの出力値ｙのピーク値及びそれぞれの時間ｔを用いて、上記（１）に基づき緩和時間Ｔｓを算出する。なお、時間ｔは、制御ユニット４１に内蔵されるタイマーにより計時され、制御部５１は、当該タイマーから時間ｔを得る。
【００４５】
制御部５１が、このような現像剤を検出対象としたトナー濃度センサー３５の出力値ｙから緩和時間Ｔｓを算出して、この緩和時間Ｔｓに基づいてキャリアの劣化度を判定する。
【００４６】
制御部５１は、緩和時間Ｔｓを、現像剤のキャリアの劣化度を示す指標とする。すなわち、キャリアの劣化度に応じて、トナーが補給された時点から、トナーとキャリアが均一に混合されるまでに要する時間が変化すると、出力値ｙの振幅がピーク値ＰＶ１のときにおける振幅の１／ｅに減衰するまでの緩和時間Ｔｓも同様に変化する。これに基づいて、制御部５１は、緩和時間Ｔｓからキャリアの劣化度を判定する。
【００４７】
図５のグラフは、現像装置２２のキャリアを補充したり現像剤を交換したりすることなく、トナーのみを補充するという条件のもと、記録紙Ｐの印刷枚数に対して変化する緩和時間Ｔｓの特性を示している。図５のグラフには、初期の緩和時間Ｔｓ、２枚ずつ間隔をあけて４０Ｋ枚を印刷した後の緩和時間Ｔｓ、２枚ずつ間隔をあけて１４０Ｋ枚を印刷した後の緩和時間Ｔｓが示されている。図５のグラフから明らかなように、印刷枚数が多くなるほどキャリアが劣化し、印刷枚数が多くなるほど緩和時間Ｔｓが増大していることから、緩和時間Ｔｓがキャリアの劣化度に応じて増大することが明らかである。これに基づいて、制御部５１は、緩和時間Ｔｓが長いほど、キャリアの劣化度が大きい（劣化の進み具合が大きい）として判定する。表示制御部５３は、判定したキャリアの劣化度を表示部４２に表示させる。
【００４８】
また、本実施形態では、現像装置２２周囲の温度や湿度などの使用環境が大きく変化しても、この使用環境変化の影響は、トナー濃度センサー３５による検出対象である現像装置２２内の現像剤に反映される。そして、制御部５１が、このような現像剤を検出対象としたトナー濃度センサー３５の出力値ｙから緩和時間Ｔｓを算出し、この緩和時間Ｔｓに基づいてキャリアの劣化度を判定する。このため、本実施形態によれば、使用環境が変化した場合であっても正確にキャリアの劣化度を判定することができる。
【００４９】
このように本実施形態では、温度や湿度などの使用環境の影響を受けることなく、トナー濃度センサー３５の出力値に基づきキャリアの劣化度を緩和時間Ｔｓに基づいて正確に判定することができる。また、既存のトナー濃度センサー３５を用いるので、格別な装置を追加する必要がない。
［応用例１］
上記実施形態によれば、画像形成装置１の使用環境が変化しても、キャリアの劣化度を正確に判定することができる。
【００５０】
そこで、応用例１では、制御部５１は、キャリアの劣化度に基づき、キャリアの寿命並びに現像剤の交換時期を正確に判定する。例えば、制御部５１は、緩和時間Ｔｓが予め設定された閾値に到達すると、現像剤の交換時期であると判定する。表示制御部５３は、現像剤の交換を促す旨のメッセージを表示部４２に表示させる。
［応用例２］
キャリアが劣化すると、キャリアの粒子の表面が摩耗したり小径化したり、キャリアの電気抵抗が低くなる。この場合、現像ローラー２７の表面に担持された現像剤のトナーだけではなく、現像剤のキャリアも現像ローラー２７から感光体ドラム４の表面へと移動して付着する。これをキャリア現像と称する。このキャリア現像は、画像品質の劣化を招くだけではなく、感光体ドラム４の表面及び中間転写ベルト５の表面に傷を付ける原因となる。
【００５１】
しかしながら、このキャリア現像は、制御部５１が、現像ローラー２７に印加される交流バイアス電圧Ｖａの振幅電圧ＶＰを増大させたり、周波数Ｆを増大させたり、正逆デューティー比Ｄｕを増大させたりすることにより抑制することができる。あるいは、キャリア現像は、制御部５１が、感光体ドラム４の表面電位Ｖ０と現像ローラー２７に印加される直流バイアス電圧Ｖｄの差（Ｖ０−Ｖｄ）を小さくすることによっても抑制することができる。
【００５２】
そこで、応用例２では、制御部５１が、現像バイアス印加部２９における、キャリアの劣化度に応じて交流バイアス電圧Ｖａの振幅電圧ＶＰ、周波数Ｆ、正逆デューティー比Ｄｕ、直流バイアス電圧Ｖｄを調節して、キャリア現像を抑制する。制御部５１は、緩和時間Ｔｓが予め設定された閾値以上になると、緩和時間Ｔｓに応じて予め定め設定している、交流電圧Ｖｃの振幅電圧ＶＰ、周波数Ｆ、正逆デューティー比Ｄｕの各値と、直流電圧Ｖｄの値とを示すバイアス制御指示を、現像バイアス印加部２９に出力する。現像バイアス印加部２９は、当該バイアス制御指示に基づいて、交流電圧Ｖｃの振幅電圧ＶＰ、周波数Ｆ、正逆デューティー比Ｄｕの各値と、直流電圧Ｖｄの値とを設定し、緩和時間Ｔｓに応じた現像バイアスを生成して、現像ローラー２７に印加する。これにより、キャリアの劣化が進んだ場合における、キャリア現像の抑制が可能になる。
【００５３】
例えば、制御部５１は、緩和時間Ｔｓが予め設定された閾値以上になると、緩和時間Ｔｓが大きくなるほど、交流電圧Ｖｃの振幅電圧ＶＰ、周波数Ｆ、正逆デューティー比Ｄｕの各値と、直流電圧Ｖｄの値とを大きくするバイアス制御指示を、現像バイアス印加部２９に出力する。
【００５４】
なお、制御部５１は、緩和時間Ｔｓが予め設定された閾値以上になると、緩和時間Ｔｓに応じて、(1)交流電圧Ｖｃの振幅電圧ＶＰ、周波数Ｆ、正逆デューティー比Ｄｕの各値、(2)直流電圧Ｖｄの(1)又は(2)のいずれか一方のみを制御するようにしてもよい。
［応用例３］
キャリアが劣化すると、キャリアの粒子の表面が摩耗したり小径化したりして、現像剤中のキャリアのかさ密度が高くなる。この場合は、トナー濃度センサー３５により実体に則した検出が行われず、検出される現像剤の透磁率が本来よりも高くなり、本来よりも低いトナー濃度が検出される。このため、キャリアに対するトナーの比率が低い判定となり、この比率に基づきトナーが過剰に補給され、画像品質の低下を招く。
【００５５】
そこで、応用例３では、制御部５１は、キャリアの劣化度に応じてトナー濃度センサー３５の出力値を補正する。例えば、制御部５１は、緩和時間Ｔｓの増大に応じて、トナー濃度センサー３５の出力値、つまりトナー濃度センサー３５により検出された現像剤の透磁率を補正して低減させる。これにより、キャリアが劣化しても、キャリアに対するトナーの比率を正確に判定して、トナーの補給を適確に行うことを可能にする。
［応用例４］
高濃度印刷が連続で行われている状況では、トナーが随時補給されるものの、キャリアによりトナーが帯電される時間が短くなるので、トナーの帯電量が小さくなり、トナーかぶりが発生する。このため、単位時間当たりの印字率が一定の判定基準（以降、追従印字率と称す）より大きくなると、現像装置２２の現像剤収容部３１内での現像剤の撹拌時間（現像剤のエイジング時間）を延長することでトナーの帯電量を保つようにしている。あるいは、単位時間当たりの印字率が追従印字率よりも大きくなると、印刷される記録紙Ｐの間隔を長くしている。つまり、単位時間当たりの印字率が追従印字率よりも大きくなると、画像品質を保つために生産性が低下する。
【００５６】
ここで、キャリアの劣化に伴い該キャリアによるトナーの帯電付与能力が低下するので、実際のキャリアの帯電付与能力に則して、すなわちキャリアの劣化度に則して、追従印字率を変動させるのが望ましいが、従来は、画像形成装置１の稼働中にキャリアの劣化度を計測する手段が無いので、追従印字率を最低値で固定しており、これが画像形成装置１の効率的な稼働を妨げていた。
【００５７】
そこで、応用例４では、制御部５１は、キャリアの劣化度に応じて追従印字率を変動させる。例えば、キャリアが劣化する以前の緩和時間をＴｓ０とし、キャリアが劣化する以前において実際の印字率と比較されて、画像品質を保つために生産性を低下させるか否かの判定に用いられる初期追従印字率をＰ０とし、キャリアが劣化した時点での緩和時間をＴｓｘとし、キャリアが劣化した時点において実際の印字率と比較されて、画像品質を保つために生産性を低下させるか否かの判定に用いられる補正追従印字率をＰｘとする。制御部５１は、次式（２）に基づき、補正追従印字率Ｐｘを求める。
【００５８】
Ｐｘ＝（Ｔｓ０／Ｔｓｘ）×Ｐ０      …（２）
そして、制御部５１は、記録紙Ｐの印刷枚数やトナー濃度センサー３５により検出されたトナー濃度の変化などに基づき実際の印字率を求め、実際の印字率と補正追従印字率Ｐｘを比較して、実際の印字率が補正追従印字率Ｐｘよりも大きくなったときに画像品質を保つために生産性を低下させると判定し、実際の印字率が大きいほど、(i)現像剤のエイジング時間を長くする、又は(ii)印刷される記録紙Ｐの間隔を長くする、等の制御を行い、トナーかぶりの発生を防止する。これにより、追従印字率を固定した場合と比較すると、トナーかぶりの発生を防止しながらも、生産性の低下を抑制できる。
【００５９】
図６（Ａ）は、従来のように追従印字率を最低値の３０％に固定した状態での印字率と生産性の関係を示すグラフである。また、図６（Ｂ）は、上記式（２）に基づき補正追従印字率Ｐｘを３０％又は３５％に調節した上での印字率と生産性の関係を示すグラフである。図６（Ａ）のグラフと図６（Ｂ）のグラフの比較から明らかなように、補正追従印字率Ｐｘを変更することにより、画像品質及び生産性を低下させることがない実際の印字率の範囲が広がる。
【００６０】
以上のように、上記応用例２、３、及び４では、は、従来行われていなかったフィードバック制御を行うことで、キャリアの劣化度に対応する緩和時間Ｔｓ０をフィードバックし、現像ローラー２７のバイアス、トナー濃度センサー３５の出力値、又は追従印字率を制御して、上記に示した効果を奏する。
【００６１】
なお、上記実施形態では、本発明の画像形成装置の一実施形態として画像形成装置を例示しているが、これは一例に過ぎず、コピー機、プリンター、ファクシミリ装置等であってもよい。
【００６２】
また、図１乃至図６を用いて説明した上記実施形態の構成及び処理は、本発明の一実施形態に過ぎず、本発明を当該構成及び処理に限定する趣旨ではない。
【符号の説明】
【００６３】
１      画像形成装置
１１      画像読取部
１２      画像形成部
４        感光体ドラム
２２      現像装置
２７      現像ローラー
２９      現像バイアス印加部
３５      トナー濃度センサー
４１      制御ユニット
４２      表示部
４４      操作部
４５      記憶部
４７      トナー補給部
５１      制御部
５３      表示制御部
【図１】
2018081206.tif 000003
【図２】
2018081206.tif 000004
【図３】
2018081206.tif 000005
【図４】
2018081206.tif 000006
【図５】
2018081206.tif 000007
【図６】
2018081206.tif 000008